(57)【要約】      （修正有）【課題】コンテクスチュアリゼーションシミュレート装置を提供する。【解決手段】コンテクスチュアリゼーションシミュレート装置は、スマートシステム２０に入力ユニット１０とインタラクティブディスプレイインタフェース３０を連結し、入力ユニットは動態の形体と音声を受け取り、動作信号及び音声信号に変換した後、さらにスマートシステムに伝送し、スマートシステムに入力した動態の動作信号及び音声信号に基づき演算分析を実行させ、動態の形体及び音声をシミュレートさせる。さらにインタラクティブディスプレイインタフェースによりスマートシステムがシミュレートする動態の形体及び音声を現出し並びに対応する人とインタラクトさせ、これにより、コンテクスチュアリゼーションシミュレート装置に動態の形体及び音声をシミュレートさせ、対応する人にインタラクティブディスプレイインタフェースとインタラクトさせ、これによりコンテクスチュアリゼーションの境界を達成する。【選択図】図１
0003198714.tif 000002
【実用新案登録請求の範囲】
【請求項１】
コンテクスチュアリゼーションシミュレート装置において、
入力ユニットであって、動態の形体と音声を受け取り、動態を有する形体及び音声を動作信号及び音声信号に変換する、上記入力ユニットと、
スマートシステムであって、該入力ユニットに接続され、該スマートシステムは機械学習能力を有し、該動態の動作信号及び音声信号を学習でき、該スマートシステムは該動態の動作信号及び音声信号に基づき演算分析を行なって、該動態の形体及び音声をシミュレートする、上記スマートシステムと、
インタラクティブディスプレイインタフェースであって、該スマートシステムに接続され、該インタラクティブディスプレイインタフェースはスマートシステムがシミュレートした該動態の形体及び音声を現出させて対応する人とインタラクトさせ、該インタラクティブディスプレイインタフェースは感応ユニットを具え、対応する人の表情、動作及び対話音声に感応し、並びに対応する人の表情動作及び対話音声を変換して表情動作信号及び対話音声信号となして該スマートシステムに伝送し、該スマートシステムに該対応する人の表情動作信号及び対話音声信号に基づいて該動態の形体及び音声のシミュレーションを調整させる、上記インタラクティブディスプレイインタフェースと、
を含むことを特徴とする、コンテクスチュアリゼーションシミュレート装置。
【請求項２】
請求項１記載のコンテクスチュアリゼーションシミュレート装置において、該入力ユニット内にさらに映像キャプチャユニット、音声キャプチャユニット及び信号変換ユニットが設けられ、該映像キャプチャユニットは該信号変換ユニットに接続され、該映像キャプチャユニットは動態を有する形体を背景中よりキャプチャし、さらに該信号変換ユニットにより動作信号へと変換し、
また音声キャプチャユニットは信号変換ユニットに接続され、該音声キャプチャユニットは動態を有する音声を映像中よりキャプチャでき、さらに信号変換ユニットにより変換して音声信号となすことを特徴とする、コンテクスチュアリゼーションシミュレート装置。
【請求項３】
請求項１又は２記載のコンテクスチュアリゼーションシミュレート装置において、該入力ユニットはモニタ装置、撮影装置、撮像レンズを具えた装置のいずれかとされることを特徴とする、コンテクスチュアリゼーションシミュレート装置。
【請求項４】
請求項１記載のコンテクスチュアリゼーションシミュレート装置において、該入力ユニットはキャプチャ用衣類とされ、該キャプチャ用衣類には複数のセンサ及び信号変換器が設けられ、該センサは該信号変換器に接続され、該信号変換器により該センサが検出した信号を変換することを特徴とする、コンテクスチュアリゼーションシミュレート装置。
【請求項５】
請求項４記載のコンテクスチュアリゼーションシミュレート装置において、該センサは肢体センサ、音声センサ、脳波センサ、呼吸センサ、心拍センサ、血圧センサのいずれかとされることを特徴とする、コンテクスチュアリゼーションシミュレート装置。
【請求項６】
請求項１又は２記載のコンテクスチュアリゼーションシミュレート装置において、該動態は生命力を具えた任意の年齢層の人、生命力を具えた任意の動物、生命力を具えた水中生物のいずれかとされることを特徴とするコンテクスチュアリゼーションシミュレート装置。
【請求項７】
請求項１記載のコンテクスチュアリゼーションシミュレート装置において、該スマートシステム内に知識ベース、ロジックエンジン、認知エンジン、洞察エンジン、学習エンジン、理解エンジン、及び推論エンジンが設けられ、並びに人工神経ネットワークにより相互に連結され、自己適応の能力を具えたことを特徴とする、コンテクスチュアリゼーションシミュレート装置。
【請求項８】
請求項１記載のコンテクスチュアリゼーションシミュレート装置において、該スマートシステムは人工知能システムとされることを特徴とする、コンテクスチュアリゼーションシミュレート装置。
【請求項９】
請求項１記載のコンテクスチュアリゼーションシミュレート装置において、該インタラクティブディスプレイインタフェースは三次元投影装置或いはホログラフィー装置とされ、スマートシステムがシミュレートする該動態の形体及び音声を現出することを特徴とする、コンテクスチュアリゼーションシミュレート装置。
【請求項１０】
請求項１記載のコンテクスチュアリゼーションシミュレート装置において、該インタラクティブディスプレイインタフェースには表示スクリーンが設けられて、スマートシステムがシミュレートする該動態の形体及び音声を現出できることを特徴とする、コンテクスチュアリゼーションシミュレート装置。
【請求項１１】
請求項１又は１０記載のコンテクスチュアリゼーションシミュレート装置において、該インタラクティブディスプレイインタフェースはディスプレイ、フレキシブルディスプレイ、オーディオビデオディスプレイ、アクセスコントロールシステム、車用オーディオビデオシステム、スマートタイプハンドヘルド装置のいずれかとされることを特徴とする、コンテクスチュアリゼーションシミュレート装置。
【請求項１２】
請求項１記載のコンテクスチュアリゼーションシミュレート装置において、該インタラクティブディスプレイインタフェースとスマートシステムとの連結はインターネット方式で連結が実行され、インターネットはブロードバンド及びナローバンドに分けられ、該ブロードバンドはＡＤＳＬ、ＶＤＳＬ、光ファイバ、無線ブロードバンド回路、パワーケーブル通信回路、ケーブルテレビジョン回路、サテライトブロードバンド回路のいずれかとされ、ナローバンドは整合サービスデジタルネットワーク（Ｉｎｔｅｇｒａｔｅｄ  Ｓｅｒｖｉｃｅｓ  Ｄｉｇｉｔａｌ  Ｎｅｔｗｏｒｋ）、通用パケット無線サービス（Ｇｅｎｅｒａｌ  Ｐａｃｋｅｔ  Ｒａｄｉｏ  Ｓｅｒｖｉｃｅ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、コード分割多重アクセス（Ｃｏｄｅ  Ｄｉｖｉｓｉｏｎ  Ｍｕｌｔｉｐｌｅ  Ａｃｃｅｓｓ）、第３世代モバイル通信技術回路（３ｒｄ−Ｇｎｅｎｅｒａｔｉｏｎ）、第４世代モバイル通信技術回路（ｔｈｅ  ４ｔｈ  ｇｅｎｅｒａｔｉｏｎ  ｏｆ  ｍｏｂｉｌｅ  ｐｈｏｎｅ  ｍｏｂｉｌｅ  ｃｏｍｍｕｎｉｃａｔｉｏｎ  ｔｅｃｈｎｏｌｏｇｙ  ｓｔａｎｄａｒｄｓ）のいずれかとされることを特徴とする、コンテクスチュアリゼーションシミュレート装置。
【考案の詳細な説明】
【技術分野】
【０００１】
本考案は一種のコンテクスチュアリゼーションシミュレート装置に係り、特に一種の、入力ユニット、スマートシステム及びインタラクティブディスプレイインタフェースの設計を通して、インタラクティブディスプレイインタフェースにスマートシステムがシミュレートする該動態の形体及び音声を現出させ、並びに対応する人とインタラクトさせる作用効果を有するようにし、コンテクスチュアリゼーションシミュレート装置或いは類似の構造に適用されるものに関する。
【背景技術】
【０００２】
人生は僅か数十年であり、寿命を全うしても或いは突然に世を去っても、子孫は哀惜の念に耐えず、特に突然世を去ったときの親族や友人の哀惜及び失意は大きく、これにより、残された人は生前の写真やビデオなどの画像により故人を懐かしみ思い出にふけるものである。
【０００３】
既存の技術は、ほとんどが、コンピュータ動画方式で故人の映像を描くか、或いは人形中に予め録音しておいた録音ファイルを内蔵して再生しているが、その欠点は、故人と再び普通にインタラクトし対話しているようにはできないことである。
【０００４】
現在、科学技術の進歩により初期の思考能力を有するコンピュータ（たとえばスーパーコンピュータ）がすでにあり、非常に多くの演算を行えるが、人の脳と同様の学習能力にと臨機応変さには欠乏しており、このため現在のコンピュータは本物の人のようなシミュレーションを現出することはできない。
【０００５】
これにより、本考案者は上述の欠点を鑑み、一種のインタラクションシミュレート機能を具え、使用者が簡単に操作、組み立てられ、使用者に便利性を提供できるコンテクスチュアリゼーションシミュレート装置を提供しようとし、それが本考案者の創作の動機である。
【考案の概要】
【考案が解決しようとする課題】
【０００６】
本考案の主要な目的は、一種のコンテクスチュアリゼーションシミュレート装置を提供することにあり、それはスマートシステムに入力ユニットとインタラクティブディスプレイインタフェースを連結し、該入力ユニットは動態の形体と音声を受け取り、動態を有する形体及び音声を動作信号及び音声信号に変換した後、さらにスマートシステムに伝送し、スマートシステムに入力した動態の動作信号及び音声信号に基づき演算分析を実行させて該動態の形体及び音声をシミュレートさせ、さらにインタラクティブディスプレイインタフェースによりスマートシステムがシミュレートする該動態の形体及び音声を現出し並びに対応する人とインタラクトさせ、これにより、コンテクスチュアリゼーションシミュレート装置に該動態の形体及び音声をシミュレートさせ、対応する人にインタラクティブディスプレイインタフェースとインタラクトさせ、これによりコンテクスチュアリゼーションの境界を達成し、並びに全体の実用性を増加するものとする。
【０００７】
本考案の次の目的は、一種のコンテクスチュアリゼーションシミュレート装置を提供することにあり、それは該入力ユニット内に映像キャプチャユニット、音声キャプチャユニット、及び信号変換ユニットが設けられ、該映像キャプチャユニットは信号変換ユニットに接続され、映像キャプチャユニットは動態の形体を背景中よりキャプチャし、さらに信号変換ユニットにより動作信号に変換し、また音声キャプチャユニットは信号変換ユニットに接続され、音声キャプチャユニットは動態の音声を映像中よりキャプチャし、さらに信号変換ユニットにより音声信号に変換し、入力ユニットに、動態の形体及び音声を動作信号及び音声信号に変換する機能を具備させ、これにより全体の変換性を増加するものとする。
【０００８】
本考案のもう一つの目的は、一種のコンテクスチュアリゼーションシミュレート装置を提供することにあり、それは該インタラクティブディスプレイインタフェースが三次元投影装置或いはホログラフィー（Ｈｏｌｏｇｒａｐｈｙ）装置のいずれかとされ、或いは、表示スクリーンを具えたディスプレイ、フレキシブルディスプレイ、アクセスコントロールシステム、車用オーディオビデオシステム、スマートタイプハンドヘルド装置のいずれかとされ、スマートシステムがシミュレートする該動態の形体及び音声を現出でき、これにより全体の顕像性を増加するものとする。
【課題を解決するための手段】
【０００９】
本考案のコンテクスチュアリゼーションシミュレート装置は、入力ユニット、スマートシステム及びインタラクティブディスプレイインタフェースを含み、該入力ユニットは動態の形体と音声を受け取り、動態を有する形体及び音声を動作信号及び音声信号に変換する。該スマートシステムは入力ユニットに接続され、該スマートシステムは機械学習（ｍａｃｈｉｎｅ  ｌｅａｒｎｉｎｇ）能力を有し、これにより該動態の動作信号及び音声信号を学習でき、且つ該スマートシステムは該動態の動作信号及び音声信号に基づき演算分析を行なって、該動態の形体及び音声をシミュレートする。該インタラクティブディスプレイインタフェースはスマートシステムと接続され、該インタラクティブディスプレイインタフェースはスマートシステムがシミュレートした該動態の形体及び音声を現出させて対応する人とインタラクトさせ、且つ該インタラクティブディスプレイインタフェースは感応ユニットを具え、対応する人の表情、動作及び対話音声に感応し、並びに対応する人の表情動作及び対話音声を変換して表情動作信号及び対話音声信号となしてスマートシステムに伝送し、該スマートシステムは対応する人の表情動作信号及び対話音声信号に基づいて該動態の形体及び音声のシミュレーションを調整する。
【考案の効果】
【００１０】
本考案のコンテクスチュアリゼーションシミュレート装置は、スマートシステムに入力ユニットとインタラクティブディスプレイインタフェースを連結し、該入力ユニットは動態の形体と音声を受け取り、動態を有する形体及び音声を動作信号及び音声信号に変換した後、さらにスマートシステムに伝送し、スマートシステムに入力した動態の動作信号及び音声信号に基づき演算分析を実行させて該動態の形体及び音声をシミュレートさせ、さらにインタラクティブディスプレイインタフェースによりスマートシステムがシミュレートする該動態の形体及び音声を現出し並びに対応する人とインタラクトさせ、これにより、コンテクスチュアリゼーションシミュレート装置に該動態の形体及び音声をシミュレートさせ、対応する人にインタラクティブディスプレイインタフェースとインタラクトさせ、これによりコンテクスチュアリゼーションの境界を達成する。
【図面の簡単な説明】
【００１１】
【図１】本考案の最良の実施例の使用状態表示図である。
【図２】本考案の最良の実施例の構造ブロック図である。
【図３】本考案の最良の実施例のインターネットを通した連結状態表示図である。
【図４】本考案のもう一つの実施例の構造ブロック図である。
【図５】本考案のもう一つの実施例の使用状態表示図である。
【図６】本考案のもう一つの実施例のインターネットを通した連結状態表示図である。
【考案を実施するための形態】
【００１２】
図１〜６を参照されたい。それは本考案の実施例の表示図である。本考案のコンテクスチュアリゼーションシミュレート装置の最良の実施方式は家の中、居間或いは公共の場所などである。該コンテクスチュアリゼーションシミュレート装置は入力ユニット１０、スマートシステム２０及びインタラクティブディスプレイインタフェース３０を含み、且つ該スマートシステム２０は入力ユニット１０及びインタラクティブディスプレイインタフェース３０にそれぞれ接続されており（図１に示されるとおり）、そのうち、該入力ユニット１０はモニタ装置、撮影装置１０１、撮像レンズを具えた装置等のいずれかとされ、該入力ユニット１０は動態の形体１及び音声を受けとることができ、且つ該入力ユニット１０内には映像キャプチャユニット１１、音声キャプチャユニット１２及び信号変換ユニット１３（図２に示されるとおり）が設けられ、該映像キャプチャユニット１１は信号変換ユニット１３と接続され、且つ映像キャプチャユニット１１は動態の形体１を背景中よりキャプチャでき、さらに信号変換ユニット１３により動作信号１３１に変換し、また音声キャプチャユニット１２は信号変換ユニット１３に接続され、音声キャプチャユニット１２は動態を有する音声を映像中よりキャプチャでき（図示せず）、さらに信号変換ユニット１３により変換して音声信号１３２となし、入力ユニット１０が動態の形体１及び音声を受け取り、並びに動態の形体１及び音声を動作信号１３１及び音声信号１３２に変換できるものとされる。
【００１３】
また、本考案のもう一つの実施態様は、該入力ユニット１０がキャプチャ用衣類１０２とされ（図５に示されるとおり）、該キャプチャ用衣類１０２に複数のセンサ１４及び信号変換器１５が設けられ、該センサ１４は信号変換器１５に接続され（図４に示されるとおり）、並びに信号変換器１５によりセンサ１４が検出した信号が変換され、そのうち、該センサ１４は肢体センサ、音声センサ、脳波センサ、呼吸器センサ、心拍センサ、血圧センサ或いはその他の生理信号センサ等のいずれかとされ、且つキャプチャ用衣類１０２の肢体センサにより動態の形体１動作を検出し、並びに信号変換器１５により変換して動作信号１５１となし、また音声センサにより動態で発せられた音声（図示せず）を受け取り、並びに信号変換器１５により音声信号１５２に変換し、さらに、脳波センサ、呼吸器センサ、心拍センサ、血圧センサ或いはその他の生理信号センサ（図示せず）により、動態の生理反応の検出を行ない、並びに信号変換器１５により生理反応信号１５３に変換し、キャプチャ用衣類１０２に、動態の形体１及び音声を検出させるほか、その動態の生理反応も検出させ、スマートシステム２０にその動態の生理反応に基づいてその生理状態、たとえば病気状態、風邪状態などをシミュレートさせ、さらに本物の状態に近づける。
【００１４】
上述の最良の実施方式中の動態及びもう一つの実施態様中の動態は、各種の生命力を具えた年齢層の人を指し、たとえば生まれたばかりの乳児から老人までの、年齢、性別にかかわらず、いずれも上述の入力ユニット１０により各種の生命力を有する年齢層の人の形体１及び音声が受信され、並びに動態の形体１及び音声が動作信号１３１及び音声信号１３２に変換される。また、該動態はまた各種の、生命力を有する動物、たとえば、犬、猫等の動物を指し得て、上述の入力ユニット１０により各種の生命力を有する動物の形体１及び音声が受信され、並びに動態の形体１及び音声が動作信号１３１及び音声信号１３２に変換される。また、該動態は、各種の、生命力を有する水生動物、たとえば、クジラ、イルカ、カバ等の動物を指し得て、上述の入力ユニット１０により各種の生命力を有する水中動物の形体１及び音声が受信され、並びに動態の形体１及び音声が動作信号１３１及び音声信号１３２に変換される。
【００１５】
上述の入力ユニット１０は動態の形体１及び音声を変換して動作信号１３１と音声信号１３２となした後に、スマートシステム２０中に伝送でき、該スマートシステム２０は家の中、居間、或いは公共の場所などとされ（図１或いは図５に示されるとおり）、或いは、遠方のストレージセンターに置かれて有線或いは無線方式で伝送され（図３或いは図６に示されるとおり）、且つ該スマートシステム２０は演算処理ユニット、メモリ及びサーバー等のハードウエアが組み合わされてなり、スマートシステム２０内には知識ベース（ｋｎｏｗｌｅｄｇｅ  ｂａｓｅ）２１、ロジックエンジン（ｌｏｇｉｃ  ｅｎｇｉｎｅ）２２、認知エンジン（ｐｅｒｃｅｐｔｉｏｎ  ｅｎｇｉｎｅ）２３、洞察エンジン（ｉｎｓｉｇｈｔ  ｅｎｇｉｎｅ）２４、学習エンジン（ｌｅａｒｎｉｎｇ  ｅｎｇｉｎｅ）２５、理解エンジン（ｃｏｍｐｒｅｈｅｎｓｉｏｎ  ｅｎｇｉｎｅ）２６、及び推論エンジン（ｉｎｆｅｒｅｎｃｅ  ｅｎｇｉｎｅ）２７が設けられ、並びに人工神経ネットワーク（ａｒｔｉｆｉｃｉａｌ  ｎｅｕｒａｌ  ｎｅｔｗｏｒｋ）２８により相互に連結され、こうして自己適応の能力を具え（図２或いは図４に示されるとおり）、スマートシステム２０が機械学習（ｍａｃｈｈｉｎｅ  ｌｅａｒｎｉｎｇ）の能力を有するものとされ、こうして該動態の動作信号１３１及び音声信号１３２を学習でき、並びに該動態の動作信号１３１と音声信号１３２に基づいて演算分析を行なうことを以て、該動態の形体１及び音声をシミュレートする。また、該スマートシステム２０は上述の各種のロジックエンジンのほか、人工知能（Ａｒｔｉｆｉｃｉａｌ  Ｉｎｔｅｌｌｉｇｅｎｃｅ）システム（図示せず）とされ得て、判断、分析、組合せ等の能力を有するものとされ得る。
【００１６】
さらに、スマートシステム２０は動態の動作信号１３１及び音声信号１３２に対して演算分析することで該動態の形体１及び音声をシミュレートし、すなわち、該動態の形体１及び音声をシミュレートしてインタラクティブディスプレイインタフェース３０に送り、インタラクティブディスプレイインタフェース３０はディスプレイ、フレキシブルディスプレイ、オーディオビデオディスプレイ３０１（図１或いは図５に示されるとおり）、アクセスコントロールシステム、車用オーディオビデオシステム、スマートタイプハンドヘルド装置３０２等のいずれかとされ（図３或いは図６に示されるとおり）、或いは表示スクリーンを具えた平面装置（図示せず）とされ、上述の装置により該動態の形体１及び音声のシミュレーションを平面形式で現出し、並びに多種類の電子製品上で運用でき、その運用面がさらに広範とされる。また、該インタラクティブディスプレイインタフェース３０は、三次元投影装置或いはホログラフィー装置（図示せず）のいずれかとされ、上述の装置により該動態の形体１及び音声をシミュレートして３Ｄ方式で現出し、並びに現出された３Ｄ方式に本物に近い容貌を具備させることができる。
【００１７】
上述のインタラクティブディスプレイインタフェース３０とスマートシステム２０との連結は、インターネット方式で連結が実行され、インターネットはブロードバンド及びナローバンドに分かれ、該ブロードバンドは、ＡＤＳＬ、ＶＤＳＬ、光ファイバ、無線ブロードバンド回路、パワーケーブル通信回路、ケーブルテレビジョン回路、サテライトブロードバンド回路などのうちいずれかとされ、またナローバンドは整合サービスデジタルネットワーク（Ｉｎｔｅｇｒａｔｅｄ  Ｓｅｒｖｉｃｅｓ  Ｄｉｇｉｔａｌ  Ｎｅｔｗｏｒｋ）、通用パケット無線サービス（Ｇｅｎｅｒａｌ  Ｐａｃｋｅｔ  Ｒａｄｉｏ  Ｓｅｒｖｉｃｅ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、コード分割多重アクセス（Ｃｏｄｅ  Ｄｉｖｉｓｉｏｎ  Ｍｕｌｔｉｐｌｅ  Ａｃｃｅｓｓ）、第３世代モバイル通信技術回路（３ｒｄ−Ｇｎｅｎｅｒａｔｉｏｎ）、第４世代モバイル通信技術回路（ｔｈｅ  ４ｔｈ  ｇｅｎｅｒａｔｉｏｎ  ｏｆ  ｍｏｂｉｌｅ  ｐｈｏｎｅ  ｍｏｂｉｌｅ  ｃｏｍｍｕｎｉｃａｔｉｏｎ  ｔｅｃｈｎｏｌｏｇｙ  ｓｔａｎｄａｒｄｓ）などのうち任意のものとされる。
【００１８】
また、上述のインタラクティブディスプレイインタフェース３０は感応ユニット３１を具えて、対応する人４０の表情動作及び対話音声を検出し（図１及び図５に示されるとおり）、並びに対応する人４０の表情動作及び対話音声を変換して表情動作信号及び対話音声信号となしてスマートシステム２０に伝送し、スマートシステム２０に対応する人４０の表情動作信号及び対話音声信号に基づいて該動態の形体１及び音声のシミュレーションを調整させ、リアルタイムインタラクトの機能を具備させ、対応する人４０に本物のような錯覚を感じさせる。
【００１９】
最後に、本考案の実施例は、故人（たとえば祖父、祖母）を懐かしむのに用いることができ、まず、入力ユニット１０で故人がまだ存命中のときに、故人の生活シーンを逐次撮影し、並びに入力ユニット１０により動作信号１３１及び音声信号１３２に変換してスマートシステム２０に伝送して保存し、スマートシステム２０に故人の存命時の生活シーンの動作信号１５１及び音声信号１３２に基づいて演算分析を行なわせて、故人の形体１及び音声をシミュレートさせる。故人が世を去った後に、インタラクティブディスプレイインタフェース３０により、スマートシステム２０中の知識ベース（ｋｎｏｗｌｅｄｇｅ  ｂａｓｅ）２１、ロジックエンジン（ｌｏｇｉｃ  ｅｎｇｉｎｅ）２２、認知エンジン（ｐｅｒｃｅｐｔｉｏｎ  ｅｎｇｉｎｅ）２３、洞察エンジン（ｉｎｓｉｇｈｔ  ｅｎｇｉｎｅ）２４、学習エンジン（ｌｅａｒｎｉｎｇ  ｅｎｇｉｎｅ）２５、理解エンジン（ｃｏｍｐｒｅｈｅｎｓｉｏｎ  ｅｎｇｉｎｅ）２６、及び推論エンジン（ｉｎｆｅｒｅｎｃｅ  ｅｎｇｉｎｅ）２７によりシミュレートされる故人の形体１及び音声を現出し、後輩に故人と対話させ、故人を懐かしみ、また、故人が突然世を去った後の家族の孤独感と喪失感を和らげることができる。
【００２０】
以上の詳細な説明により、当業者は本考案が確実に前述の目的を達成することを理解でき、実に実用新案法の規定に合致し、ここに出願する次第である。
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２１】
１形体
１０入力ユニット
１０１撮影装置
１０２キャプチャ用衣類
１１映像キャプチャユニット
１２音声キャプチャユニット
１３信号変換ユニット
１３１動作信号
１３２音声信号
１４センサ
１５信号変換器
１５１動作信号
１５２音声信号
１５３生理反応信号
２０スマートシステム
２１知識ベース（ｋｎｏｗｌｅｄｇｅ  ｂａｓｅ）
２２ロジックエンジン（ｌｏｇｉｃ  ｅｎｇｉｎｅ）
２３認知エンジン（ｐｅｒｃｅｐｔｉｏｎ  ｅｎｇｉｎｅ）
２４洞察エンジン（ｉｎｓｉｇｈｔ  ｅｎｇｉｎｅ）
２５学習エンジン（ｌｅａｒｎｉｎｇ  ｅｎｇｉｎｅ）
２６理解エンジン（ｃｏｍｐｒｅｈｅｎｓｉｏｎ  ｅｎｇｉｎｅ）
２７推論エンジン（ｉｎｆｅｒｅｎｃｅ  ｅｎｇｉｎｅ）
２８人工神経ネットワーク（ａｒｔｉｆｉｃｉａｌ  ｎｅｕｒａｌ  ｎｅｔｗｏｒｋ）
３０インタラクティブディスプレイインタフェース
３０１オーディオビデオディスプレイ
３０２スマートタイプハンドヘルド装置
３１感応ユニット
４０対応する人
【図１】
0003198714.tif 000003
【図２】
0003198714.tif 000004
【図３】
0003198714.tif 000005
【図４】
0003198714.tif 000006
【図５】
0003198714.tif 000007
【図６】
0003198714.tif 000008